【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
少なくとも１つのノードＢと、少なくとも１つのＷＴＲＵ（無線送信／受信ユニット）とを含む無線通信システムにおいて、ＥＵ（エンハンスドアップリンク）チャネルおよびＨＳＤＰＡ（高速ダウンリンクパケットアクセス）チャネルをサポートするのに使用され、前記ノードＢから前記ＷＴＲＵに少なくとも一つの制御チャネルを介して伝送されるチャネル割り当て情報を提供する方法であって、
（ａ）前記ＷＴＲＵが前記ノードＢから前記少なくとも一つの制御チャネルを介してメッセージを受信するステップであって、チャネル割り当て情報、及び、前記メッセージが無線リソースを前記ＥＵチャネルに割り当てることを意図されているかそれとも前記ＨＳＤＰＡチャネルに割り当てることを意図されているかの指示を、前記メッセージが含むステップ、
（ｂ）前記ＷＴＲＵが、前記メッセージは前記ＷＴＲＵを宛先としているかどうかを判定するステップ、
（ｃ）前記ＷＴＲＵが、前記指示を検出するステップ、および、
（ｄ）前記ＷＴＲＵが、ステップ（ｃ）において検出した前記指示に基づいて適切なアクションを行うステップ
を含むことを特徴とする方法。
【請求項２】
前記適切なアクションは、前記ＷＴＲＵが前記ＨＳＤＰＡチャネルを介してデータ受信手続きを初期化することを含むことを特徴とする請求項１に記載の方法。
【請求項３】
前記適切なアクションは、前記ＷＴＲＵが前記ＥＵチャネルを介してデータ送信手続きを初期化することを含むことを特徴とする請求項１に記載の方法。
【請求項４】
前記指示は、前記ＥＵチャネルまたは前記ＨＳＤＰＡチャネルのためのチャネル化符号に関するマッピング組合せセットの利用であることを特徴とする請求項１に記載の方法。
【請求項５】
前記指示は、前記ＥＵチャネルまたは前記ＨＳＤＰＡチャネルのためのＷＴＲＵ固有のＣＲＣ（巡回冗長検査）の利用であることを特徴とする請求項１に記載の方法。
【請求項６】
前記ＥＵチャネルのための前記ＷＴＲＵ固有のＣＲＣは、前記ＨＳＤＰＡチャネルのためのＷＴＲＵ固有のＣＲＣが反転されたものであることを特徴とする請求項５に記載の方法。
【請求項７】
前記ＷＴＲＵ固有のＣＲＣが、前記ＷＴＲＵに割り当てられたＩＤ（識別）を使用して生成されることを特徴とする請求項５に記載の方法。
【請求項８】
ＥＵ（エンハンスドアップリンク）チャネルおよびＨＳＤＰＡ（高速ダウンリンクパケットアクセス）チャネルをサポートするのに使用され、該ＥＵおよび該ＨＳＤＰＡチャネルに動的に無線リソースを割り当てるためのチャネル割り当て情報を提供するための無線通信システムであって、
（ａ）少なくとも１つのノードＢと、
（ｂ）少なくとも一つの制御チャネル、前記ＥＵチャネル、および前記ＨＳＤＰＡチャネルを介して前記ノードＢと通信する少なくとも１つのＷＴＲＵ（無線送信／受信ユニット）とを備えるシステムにおいて、
（ｉ）前記ＷＴＲＵは、前記ノードＢから前記少なくとも一つの制御チャネルを介してメッセージを受信し、チャネル割り当て情報、及び、前記メッセージが前記ＥＵチャネルに無線リソースを割り当てることを意図されているかそれとも前記ＨＳＤＰＡチャネルに無線リソースを割り当てることを意図されているかの指示を前記メッセージが含み、
（ii）前記ＷＴＲＵが、前記メッセージは前記ＷＴＲＵを宛先としているかどうかを判定し、
（iii）前記ＷＴＲＵが、前記指示を検出し、および、
（iｖ）前記ＷＴＲＵが、前記指示基づいて適切なアクションを行う
ことを特徴とするシステム。
【請求項９】
前記適切なアクションは、前記ＷＴＲＵが前記ＨＳＤＰＡチャネルを介してデータ受信手続きを初期化することを含むことを特徴とする請求項８に記載のシステム。
【請求項１０】
前記適切なアクションは、前記ＷＴＲＵが前記ＥＵチャネルを介してデータ送信手続きを初期化することを含むことを特徴とする請求項８に記載のシステム。
【請求項１１】
前記指示は、前記ＥＵチャネルまたは前記ＨＳＤＰＡチャネルのためのチャネル化符号に関するマッピング組合せセットの利用であることを特徴とする請求項８に記載のシステム。
【請求項１２】
前記指示は、前記ＥＵチャネルまたは前記ＨＳＤＰＡチャネルのためのＷＴＲＵ固有のＣＲＣ（巡回冗長検査）の利用であることを特徴とする請求項８に記載のシステム。
【請求項１３】
前記ＥＵチャネルのための前記ＷＴＲＵ固有のＣＲＣは、前記ＨＳＤＰＡチャネルのためのＷＴＲＵ固有のＣＲＣが反転されたものであることを特徴とする請求項１２に記載のシステム。
【請求項１４】
前記ＷＴＲＵ固有のＣＲＣが、前記ＷＴＲＵに割り当てられたＩＤ（識別）を使用して生成されることを特徴とする請求項１２に記載のシステム。
【請求項１５】
（ａ）メッセージを受信するための手段であって、チャネル割り当て情報、及び、前記メッセージが無線リソースをＥＵ（エンハンスドアップリンク）チャネルに割り当てることを意図されているかそれともＨＳＤＰＡ（高速ダウンリンクパケットアクセス）チャネルに割り当てることを意図されているかの指示を前記メッセージが含み、該ＥＵおよび該ＨＳＤＰＡチャネルに該チャネル割り当て情報によって動的に無線リソースを割り当てる手段、
（ｂ）前記メッセージは前記ＷＴＲＵを宛先としているかどうかを判定するための手段、
（ｃ）前記指示を検出するための手段、および、
（ｄ）検出した前記指示基づいて適切なアクションを行うための手段
を含むことを特徴とするＷＴＲＵ（無線送信／受信ユニット）。
【請求項１６】
前記適切なアクションは、前記ＷＴＲＵが前記ＨＳＤＰＡチャネルを介してデータ受信手続を初期化することを含むことを特徴とする請求項１５に記載のＷＴＲＵ。
【請求項１７】
前記適切なアクションは、前記ＷＴＲＵが前記ＥＵチャネルを介してデータ送信手続きを初期化することを含むことを特徴とする請求項１５に記載のＷＴＲＵ。
【請求項１８】
前記指示は、前記ＥＵチャネルまたは前記ＨＳＤＰＡチャネルのためのチャネル化符号に関するマッピング組合せセットの利用であることを特徴とする請求項１５に記載のＷＴＲＵ。
【請求項１９】
前記指示は、前記ＥＵチャネルまたは前記ＨＳＤＰＡチャネルのためのＷＴＲＵ固有のＣＲＣ（巡回冗長検査）の利用であることを特徴とする請求項１５に記載のＷＴＲＵ。
【請求項２０】
前記ＥＵチャネルのための前記ＷＴＲＵ固有のＣＲＣは、前記ＨＳＤＰＡチャネルのためのＷＴＲＵ固有のＣＲＣが反転されたものであることを特徴とする請求項１９に記載のＷＴＲＵ。
【請求項２１】
前記ＷＴＲＵ固有のＣＲＣが、前記ＷＴＲＵに割り当てられたＩＤ（識別）を使用して生成されることを特徴とする請求項１９に記載のＷＴＲＵ。
【請求項２２】
（ａ）メッセージを受信するための手段であって、チャネル割り当て情報、及び、前記メッセージが無線リソースをＥＵ（エンハンスドアップリンク）チャネルに割り当てることを意図されているかそれともＨＳＤＰＡ（高速ダウンリンクパケットアクセス）チャネルに割り当てることを意図されているかの指示を前記メッセージが含み、該ＥＵおよび該ＨＳＤＰＡチャネルに該チャネル割り当て情報によって動的に無線リソースを割り当てる手段、
（ｂ）前記メッセージが、前記メッセージの所期の宛先で受信されたかどうかを判定するための手段、
（ｃ）前記指示を検出するための手段、および、
（ｄ）検出した前記指示に基づいて適切なアクションを行うための手段
を含むことを特徴とするＩＣ（集積回路）。
【請求項２３】
前記適切なアクションは、前記ＨＳＤＰＡチャネルを介してデータ受信手続きを初期化することを含むことを特徴とする請求項２２に記載のＩＣ。
【請求項２４】
前記適切なアクションは、前記ＥＵチャネルを介してデータ送信手続きを初期化することを含むことを特徴とする請求項２２に記載のＩＣ。
【請求項２５】
前記指示は、前記ＥＵチャネルまたは前記ＨＳＤＰＡチャネルのためのチャネル化符号に関するマッピング組合せセットの利用であることを特徴とする請求項２２に記載のＩＣ。
【請求項２６】
前記指示は、前記ＥＵチャネルまたは前記ＨＳＤＰＡチャネルのためのＷＴＲＵ固有のＣＲＣ（巡回冗長検査）の利用であることを特徴とする請求項２５に記載のＩＣ。
【請求項２７】
前記ＥＵチャネルのための前記ＷＴＲＵ固有のＣＲＣは、前記ＨＳＤＰＡチャネルのためのＷＴＲＵ固有のＣＲＣが反転されたものであることを特徴とする請求項２６に記載のＩＣ。
【請求項２８】
前記ＷＴＲＵ固有のＣＲＣは、前記ＷＴＲＵに割り当てられたＩＤ（識別）を使用して生成されることを特徴とする請求項２６に記載のＩＣ。
【請求項２９】
チャネル割り当て情報を提供するためのタイムスロット型無線通信システムにおいて、
（ａ）少なくとも１つのノードＢ、
（ｂ）前記ノードＢを制御するＲＮＣ（無線ネットワークコントローラ）、および、
（ｃ）少なくとも一つの制御チャネル、ＥＵ（エンハンスドアップリンク）チャネル、およびＨＳＤＰＡ（高速ダウンリンクパケットアクセス）チャネルを介して前記ノードＢと通信する少なくとも１つのＷＴＲＵ（無線送信／受信ユニット）を備え、
前記ＲＮＣが前記ＷＴＲＵに、前記少なくとも一つの制御チャネルのどのタイムスロットＴＴＩ（伝送時間間隔）がＥＵチャネル伝送をサポートするか、また前記少なくとも一つの制御チャネルのどのタイムスロットＴＴＩが、ＨＳＤＰＡチャネル伝送をサポートするかを示すメッセージを伝送することを特徴とするシステム。
【請求項３０】
周波数分割双方向（ＦＤＤ）システムであることを特徴とする請求項２９に記載のシステム。
【請求項３１】
前記メッセージは、無線リソース制御（ＲＲＣ）コンテキストシグナリングを含むことを特徴とする請求項２９に記載のシステム。
【請求項３２】
高速共通制御チャネル（ＨＳ−ＳＣＣＨ）が、前記ＨＳＤＰＡチャネルをサポートする前記ＴＴＩ内で伝送されることを特徴とする請求項２９に記載のシステム。
【請求項３３】
ＥＵリソース割り当てチャネルが、前記ＥＵチャネルをサポートする前記ＴＴＩ内で伝送されることを特徴とする請求項２９に記載のシステム。
【請求項３４】
前記ＷＴＲＵは、前記メッセージがＨＳＤＰＡ伝送に無線リソースを割り当てるためのものであるか、それともＥＵ伝送に無線リソースを割り当てるためのものであるかを判定することを特徴とする請求項２９に記載のシステム。
【請求項３５】
通信する少なくとも１つのノードＢと、前記ノードＢを制御するＲＮＣ（無線ネットワークコントローラ）と、少なくとも一つの制御チャネル、ＥＵ（エンハンスドアップリンク）チャネル、およびＨＳＤＰＡ（高速ダウンリンクパケットアクセス）チャネルを介して前記ノードＢと通信する少なくとも１つのＷＴＲＵ（無線送信／受信ユニット）とを含むタイムスロット型無線通信システムにおいてチャネル割り当て情報を提供する方法であって、
前記ＲＮＣが、前記少なくとも一つの制御チャネルのどのタイムスロットＴＴＩ（伝送時間間隔）がＥＵチャネル伝送をサポートするか、また前記少なくとも一つの制御チャネルのどのタイムスロットＴＴＩがＨＳＤＰＡチャネル伝送をサポートするかを示すメッセージを前記ＷＴＲＵに伝送するステップを含むことを特徴とする方法。
【請求項３６】
前記システムは周波数分割双方向（ＦＤＤ）システムであることを特徴とする請求項３５に記載の方法。
【請求項３７】
前記メッセージは無線リソース制御（ＲＲＣ）コンテキストシグナリングを含むことを特徴とする請求項３５に記載の方法。
【請求項３８】
前記ＨＳＤＰＡチャネルをサポートする前記ＴＴＩ内で、ＨＳ−ＳＣＣＨ（高速共通制御チャネル）を伝送するステップをさらに含むことを特徴とする請求項３５に記載の方法。
【請求項３９】
前記ＥＵチャネルをサポートする前記ＴＴＩ内で、ＥＵリソース割り当てチャネルを伝送するステップをさらに含むことを特徴とする請求項３５に記載の方法。
【請求項４０】
前記ＷＴＲＵが、前記メッセージが前記ＨＳＤＰＡ伝送に無線リソースを割り当てるためのものであるか、それとも前記ＥＵ伝送に無線リソースを割り当てるためのものであるかを判定するステップをさらに含むことを特徴とする請求項３５に記載の方法。
【請求項４１】
少なくとも１つのノードＢと、少なくとも１つのＷＴＲＵ（無線送信／受信ユニット）とを含む無線通信システムにおいて、ＥＵ（エンハンスドアップリンク）チャネルおよびＨＳＤＰＡ（高速ダウンリンクパケットアクセス）チャネルのために、前記ノードＢから前記ＷＴＲＵに少なくとも一つの制御チャネルを介して伝送されるチャネル割り当て情報を提供する方法であって、
前記ＷＴＲＵがチャネル割り当て情報を前記少なくとも一つの制御チャネルを介して受信するステップ、
前記ＷＴＲＵが、前記チャネル割り当て情報は無線リソースを前記ＥＵチャネルまたはＨＳＤＰＡチャネルに割り当てるためのものかを判定するステップ、および、
前記ＷＴＲＵが前記ノードＢと前記チャネル割り当て情報を用いて通信するステップ
を含むことを特徴とする方法。
【請求項４２】
ＥＵ（エンハンスドアップリンク）チャネルおよびＨＳＤＰＡ（高速ダウンリンクパケットアクセス）チャネルのためにチャネル割り当て情報を提供する無線通信システムにおいて、
少なくとも１つのノードＢ、および、
該ノードＢと少なくとも一つの制御チャネルを介して通信する少なくとも一つのＷＴＲＵ（無線送信／受信ユニット）であって、チャネル割り当て情報を前記少なくとも一つの制御チャネルを介して受信し、前記チャネル割り当て情報は無線リソースを前記ＥＵチャネルまたはＨＳＤＰＡチャネルに割り当てるためのものかを判定し、および、前記ノードＢと前記チャネル割り当て情報を用いて通信するように構成されたＷＴＲＵ
を備えることを特徴とする無線通信システム。